(57)【要約】      （修正有）【課題】使い勝手のよい自動分析装置を提供する。【解決手段】自動分析装置は、検体情報の検索条件を指定するための操作と、検体情報の検索を実行するための操作と、測定中の検体の検体情報のみを検索対象にするか否かを指定するための操作と、を受け付ける入力受付部３２４と、測定中の検体の検体情報のみを検索対象にする旨の指定がなされている状態で、検体情報の検索を実行するための操作が行われた場合に、進捗情報に基づいてすべての検体の検体情報のうち測定中の検体の検体情報のみを検索対象に設定し、設定された検索対象のなかから指定された検索条件に一致する検体の検体情報を抽出し、抽出した検体情報を表示部３６０に一覧表示させる表示制御部３２６と、を含む。【選択図】図３
2020180899.tif 000002
【特許請求の範囲】
【請求項１】
検体を識別するための識別情報を読み取る読取部と、
検体を測定するための分析部と、
前記読取部で読み取られた前記識別情報で識別される検体の測定項目情報を取得し、取得した前記測定項目情報に基づいて前記分析部を制御する処理、および検体の測定の進捗情報を更新する処理を行う分析制御部と、
検体の検体情報の検索条件を指定するための操作と、測定中の検体の前記検体情報のみを検索対象にするか否かを指定するための操作と、前記検体情報の検索を実行するための操作と、を受け付ける入力受付部と、
測定中の検体の前記検体情報のみを検索対象にする旨の指定がなされている状態で、前記検体情報の検索を実行するための操作が行われた場合に、前記進捗情報に基づいてすべての検体の前記検体情報のうち測定中の検体の前記検体情報のみを検索対象に設定し、設定された検索対象のなかから指定された検索条件に一致する検体の前記検体情報を抽出し、抽出した前記検体情報を表示部に一覧表示させる表示制御部と、
を含む、自動分析装置。
【請求項２】
請求項１において、
前記表示制御部は、前記検体情報として、前記識別情報および検体の測定の終了時刻に関する情報を前記表示部に表示させる、自動分析装置。
【請求項３】
請求項１または２において、
前記入力受付部は、一覧表示された前記検体情報から所望の前記検体情報を選択するための操作を受け付け、
前記表示制御部は、選択された前記検体情報に対応する検体の前記進捗情報を前記表示部に表示させる、自動分析装置。
【請求項４】
請求項１ないし３のいずれか１項において、
検体を測定するための他の分析部と、
前記分析部および前記他の分析部に検体を搬送するための搬送部と、
を含む、自動分析装置。
【請求項５】
請求項１ないし４のいずれか１項において、
前記表示制御部は、測定中の検体の前記検体情報のみを検索対象にするか否かを指定するためのボタンが表示された検索画面を前記表示部に表示させ、
測定中の検体の前記検体情報のみを検索対象にするか否かを指定するための操作は、前記ボタンを選択する操作である、自動分析装置。
【請求項６】
検体を識別するための識別情報を読み取る読取部と、
検体を測定するための分析部と、
前記読取部で読み取られた前記識別情報で識別される検体の測定項目情報を取得し、取得した前記測定項目情報に基づいて前記分析部を制御する処理、および検体の測定の進捗情報を更新する処理を行う分析制御部と、
検体の検体情報の検索条件を指定するための操作と、測定が正常に完了していない検体の前記検体情報のみを検索対象にするか否かを指定するための操作と、前記検体情報の検索を実行するための操作と、を受け付ける入力受付部と、
測定が正常に完了していない検体の前記検体情報のみを検索対象にする旨の指定がなされている状態で、前記検体情報の検索を実行するための操作が行われた場合に、前記進捗情報および前記分析部における測定結果に基づいてすべての検体の前記検体情報のうち測定が正常に完了していない検体の前記検体情報のみを検索対象に設定し、設定された検索
対象のなかから指定された検索条件に一致する検体の前記検体情報を抽出し、抽出した前記検体情報を表示部に一覧表示させる表示制御部と、
を含む、自動分析装置。
【発明の詳細な説明】
【技術分野】
【０００１】
本発明は、自動分析装置に関する。
【背景技術】
【０００２】
自動分析装置は、検体と試薬とを反応させて検体の成分を分析するための装置である。自動分析装置として、血液や尿などの検体に含まれる各種成分を分析する生化学分析装置が知られている。生化学分析装置では、検体を一定の条件で希釈した後、反応容器に分注し、検体と分析項目に応じた試薬とを反応容器内で混合して反応させる。その後、反応容器に分注された希釈検体の吸光度を測定し、吸光度を濃度に換算することによって、検体に含まれる測定対象物質の分析を行っている（例えば、特許文献１参照）。
【先行技術文献】
【特許文献】
【０００３】
【特許文献１】特開２０１７−１２９３９３号公報
【発明の概要】
【発明が解決しようとする課題】
【０００４】
図１５は、従来の自動分析装置の検体検索画面１０００の一例を示す図である。検体検索画面１０００は、例えば、検体の測定の進捗状況を確認するために用いられる。検体検索画面１０００には、図１５に示すように、検索キーワードを入力するための入力欄１００２、検索実行ボタン１００４、検索キーワードに一致した検体の検体情報が表示される表示領域１００６、および詳細情報表示領域１００８が表示されている。
【０００５】
例えば、入力欄１００２にキーワードを入力し検索実行ボタン１００４を押すと、キーワードに一致する検体の一覧が表示領域１００６に表示される。表示領域１００６に表示された検体ＩＤの一覧から１つの検体ＩＤを選択すると、選択された検体ＩＤに対応する検体の詳細な検体情報が詳細情報表示領域１００８に表示される。
【０００６】
自動分析装置は、主に、臨床検査に使用される。患者の検体の検査について、医師から進捗状況の問い合わせを受けた場合、問い合わせを受けた検体の検査結果が出ていれば、不図示の結果レビュー画面に表示される。
【０００７】
一方、検査結果がでていない場合、検査の結果がいつ頃でるのかを回答しなければならない。この場合、オペレーターは、まず、検体ＩＤなどのキーワードを入力欄１００２に入力して検索実行ボタン１００４を押す。次に、表示領域１００６に表示された検体ＩＤのなかから、問い合わせを受けた検体に対応する検体ＩＤを選択する。次に、詳細情報表示領域１００８に表示された測定状況を確認して、測定完了時間を確認する。
【０００８】
ここで、検体検索画面１０００では、例えば、測定中の検体について問い合わせがあった場合、上記のように、キーワードの入力、および検体ＩＤの選択を行って進捗情報を確認しなければならない。そのため、測定中の検体を一括して検索することができず、使い勝手が悪かった。また、例えば、測定が正常に完了していない検体について問い合わせがあった場合、同様に、測定中の検体を一括して検索することができず、使い勝手が悪かった。
【課題を解決するための手段】
【０００９】
（１）本発明に係る自動分析装置の一態様は、
検体を識別するための識別情報を読み取る読取部と、
検体を測定するための分析部と、
前記読取部で読み取られた前記識別情報で識別される検体の測定項目情報を取得し、取得した前記測定項目情報に基づいて前記分析部を制御する処理、および検体の測定の進捗情報を更新する処理を行う分析制御部と、
検体の検体情報の検索条件を指定するための操作と、測定中の検体の前記検体情報のみを検索対象にするか否かを指定するための操作と、前記検体情報の検索を実行するための操作と、を受け付ける入力受付部と、
測定中の検体の前記検体情報のみを検索対象にする旨の指定がなされている状態で、前記検体情報の検索を実行するための操作が行われた場合に、前記進捗情報に基づいてすべての検体の前記検体情報のうち測定中の検体の前記検体情報のみを検索対象に設定し、設定された検索対象のなかから指定された検索条件に一致する検体の前記検体情報を抽出し、抽出した前記検体情報を表示部に一覧表示させる表示制御部と、
を含む。
【００１０】
このような自動分析装置では、測定中の検体の検体情報のみを検索対象に設定して、検索条件に一致する検体情報を抽出することができるため、容易に測定中の検体の検体情報を確認でき、使い勝手がよい。
【００１１】
（２）本発明に係る自動分析装置の一態様は、
検体を識別するための識別情報を読み取る読取部と、
検体を測定するための分析部と、
前記読取部で読み取られた前記識別情報で識別される検体の測定項目情報を取得し、取得した前記測定項目情報に基づいて前記分析部を制御する処理、および検体の測定の進捗情報を更新する処理を行う分析制御部と、
検体の検体情報の検索条件を指定するための操作と、測定が正常に完了していない検体の前記検体情報のみを検索対象にするか否かを指定するための操作と、前記検体情報の検索を実行するための操作と、を受け付ける入力受付部と、
測定が正常に完了していない検体の前記検体情報のみを検索対象にする旨の指定がなされている状態で、前記検体情報の検索を実行するための操作が行われた場合に、前記進捗情報および前記分析部における測定結果に基づいてすべての検体の前記検体情報のうち測定が正常に完了していない検体の前記検体情報のみを検索対象に設定し、設定された検索対象のなかから指定された検索条件に一致する検体の前記検体情報を抽出し、抽出した前記検体情報を表示部に一覧表示させる表示制御部と、
を含む。
【００１２】
このような自動分析装置では、測定が正常に完了していない検体の検体情報のみを検索対象に設定して、検索条件に一致する検体情報を抽出することができるため、容易に測定中の検体の検体情報を確認でき、使い勝手がよい。
【図面の簡単な説明】
【００１３】
【図１】第１実施形態に係る自動分析装置の構成を示す図。
【図２】分析部の構成を模式的に示す図。
【図３】制御部の構成を示す図。
【図４】第１実施形態に係る自動分析装置の検体検索画面の一例を示す図。
【図５】第１実施形態に係る自動分析装置の検体検索画面の一例を示す図。
【図６】第１実施形態に係る自動分析装置の結果レビュー画面の一例を示す図。
【図７】第１実施形態に係る自動分析装置のホーム画面の一例を示す図。
【図８】第１実施形態に係る自動分析装置の処理部の処理の一例を示すフローチャート。
【図９】第１実施形態に係る自動分析装置の処理部の処理の一例を示すフローチャート。
【図１０】第２実施形態に係る自動分析装置の構成を示す図。
【図１１】搬送部を模式的に示す図。
【図１２】第３実施形態に係る自動分析装置の構成を示す図。
【図１３】第４実施形態に係る自動分析装置の検体検索画面の一例を示す図。
【図１４】第４実施形態に係る自動分析装置の処理部の処理の一例を示すフローチャート。
【図１５】従来の自動分析装置の検体検索画面の一例を示す図。
【発明を実施するための形態】
【００１４】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１５】
１．  第１実施形態
１．１．  自動分析装置の構成
まず、第１実施形態に係る自動分析装置について図面を参照しながら説明する。図１は、第１実施形態に係る自動分析装置１００の構成を示す図である。
【００１６】
自動分析装置１００は、例えば、血液や尿などの生体から採取した献体に含まれる特定の成分の量を自動的に測定する生化学分析装置である。なお、自動分析装置１００は、生化学項目だけでなく、免疫血清、腫瘍マーカーなどの幅広い分野の測定が可能に構成されていてもよい。
【００１７】
自動分析装置１００は、図１に示すように、検体を測定するための分析部１０と、検体を識別するための識別情報を読み取る読取部２０と、分析部１０を構成する各部の動作を制御する制御部３０と、を含む。
【００１８】
１．１．１．  分析部の構成
図２は、分析部１０の構成を模式的に示す図である。
【００１９】
分析部１０は、サンプルターンテーブル２と、希釈ターンテーブル３と、第１ターンテーブル４と、第２ターンテーブル５と、反応ターンテーブル６と、を含む。また、自動分析装置１００は、元検体サンプリングプローブ７と、希釈検体サンプリングプローブ８と、希釈撹拌機構９と、希釈容器洗浄機構１１と、第１試薬分注プローブ１２と、第２試薬分注プローブ１３と、第１反応液撹拌機構１４と、第２反応液撹拌機構１５と、多波長光度計１６と、恒温槽１７と、反応容器洗浄機構１８と、を含む。
【００２０】
分析部１０では、例えば、希釈検体サンプリングプローブ８等の各種プローブによる検体の分注動作や、第１反応液撹拌機構１４または第２反応液撹拌機構１５による撹拌動作の繰り返しの１単位が１サイクルの時間を掛けて行われる。
【００２１】
サンプルターンテーブル２は、検体が収容されたサンプル容器２１と、保冷サンプル容器２２を保持する。サンプルターンテーブル２は、複数のサンプル容器２１と、複数の保冷サンプル容器２２と、を保持する。サンプル容器２１には、検体および洗剤が収容されている。保冷サンプル容器２２には、通常の希釈液である生理食塩水以外の希釈液が収容されている。
【００２２】
希釈ターンテーブル３は、複数の希釈容器２３を保持する。希釈容器２３には、サンプ
ルターンテーブル２に配置されたサンプル容器２１から吸引され、希釈された元検体、すなわち希釈検体が収容される。
【００２３】
第１ターンテーブル４は、複数の第１試薬容器２４を保持する。また、第２ターンテーブル５は、複数の第２試薬容器２５を保持する。
【００２４】
第１試薬容器２４には、第１試薬が収容され、第２試薬容器２５には、第２試薬が収容される。なお、第１試薬容器２４と第２試薬容器２５を区別しない場合に、単に「試薬容器」ともいう。
【００２５】
第１ターンテーブル４には、第１試薬容器２４の側面に付されたバーコードを読取る第１試薬バーコードリーダー２７が設けられる。第２ターンテーブル５には、第２試薬容器２５の側面に付されたバーコードを読取る第２試薬バーコードリーダー２８が設けられる。第１試薬バーコードリーダー２７および第２試薬バーコードリーダー２８によって、測定項目で使用される試薬容器の位置が特定できるため、任意の位置に試薬容器を置くことができる。
【００２６】
反応ターンテーブル６は、複数の反応容器２６を保持する。反応ターンテーブル６は、反応容器２６を間欠的に移動させる。反応容器２６には、希釈ターンテーブル３の希釈容器２３からサンプリングされた希釈検体と、第１ターンテーブル４の第１試薬容器２４からサンプリングされた第１試薬と、第２ターンテーブル５の第２試薬容器２５からサンプリングされた第２試薬とが注入される。反応容器２６内において、希釈検体と、第１試薬および第２試薬が撹拌され、反応が行われる。
【００２７】
元検体サンプリングプローブ７は、予め設定された吸引位置に搬送されたサンプル容器２１または保冷サンプル容器２２から所定量の検体、洗剤等の液体を吸引し、予め設定された吐出位置に搬送された希釈容器２３に、吸引した検体と、元検体サンプリングプローブ７自体から供給される所定量の希釈液（例えば、生理食塩水）を吐出する。これにより、希釈容器２３内で、検体が所定倍数の濃度に希釈される。このように元検体サンプリングプローブ７は、希釈容器２３に検体を分注する。元検体サンプリングプローブ７は、元検体サンプリングプローブ洗浄機構３１によって洗浄される。
【００２８】
希釈検体サンプリングプローブ８は、希釈ターンテーブル３の希釈容器２３から所定量の希釈検体を吸引し、吸引した希釈検体を反応ターンテーブル６の反応容器２６内に吐出する。希釈検体サンプリングプローブ８は、希釈検体サンプリングプローブ洗浄機構３２によって洗浄される。
【００２９】
希釈撹拌機構９は、不図示の攪拌棒を希釈容器２３内に挿入し、検体と希釈液を撹拌する。希釈容器洗浄機構１１は、洗剤ポンプから希釈容器洗浄ノズルに洗剤を供給し、希釈容器洗浄ノズルから希釈容器２３内に洗剤を吐出する。
【００３０】
第１試薬分注プローブ１２は、予め設定された吸引位置に搬送された第１試薬容器２４から所定量の第１試薬を吸引し、吸引した第１試薬を予め設定された吐出位置に搬送された反応容器２６へ吐出する。第１試薬分注プローブ１２は、第１試薬プローブ洗浄機構３３によって洗浄される。
【００３１】
第２試薬分注プローブ１３は、予め設定された吸引位置に搬送された第２試薬容器２５から所定量の第２試薬を吸引し、吸引した第２試薬を予め設定された吐出位置に搬送された反応容器２６内に吐出する。第２試薬分注プローブ１３は、第２試薬分注プローブ洗浄機構３４によって洗浄される。
【００３２】
第１反応液撹拌機構１４は、不図示の攪拌棒を反応容器２６内に挿入し、希釈検体と第１試薬を撹拌する。第２反応液撹拌機構１５は、不図示の攪拌棒を反応容器２６内に挿入し、希釈検体と、第１試薬と、第２試薬との混合液を撹拌する。反応容器洗浄機構１８は、分析が終了した反応容器２６内を洗浄する。
【００３３】
多波長光度計１６は、反応容器２６に光線を照射する光源ランプを用いて、第１試薬及び第２試薬と反応した希釈検体の混合液に対する光学的測定（比色測定）を行う。多波長光度計１６は、検体中の様々な成分の量を吸光度で出力し、希釈検体の反応状態を検出する。多波長光度計１６における検体の測定データは、制御部３０に送られる。
【００３４】
恒温槽１７は、反応ターンテーブル６に設けられた反応容器２６の温度を常時一定に保持する。
【００３５】
１．１．２．  読取部の構成
分析部１０には、図２に示すように、検体の識別情報を読み取るための読取部２０が配置されている。読取部２０は、サンプルターンテーブル２に収容されたサンプル容器２１、保冷サンプル容器２２の側面に付されたバーコードから検体ＩＤを読み取る。バーコードは、検体の識別情報である検体ＩＤが符号化されたものである。読取部２０は、例えば、バーコードリーダーである。読取部２０で読み取られた識別情報は、制御部３０に送られる。これにより、制御部３０において、サンプル容器２１、保冷サンプル容器２２に収容された検体および希釈液を管理できる。
【００３６】
１．１．３．  制御部の構成
図３は、制御部３０の構成を示す図である。制御部３０は、図３に示すように、処理部３２０と、操作部３４０と、表示部３６０と、記憶部３８０と、を含む。
【００３７】
操作部３４０は、ユーザーによる操作に応じた操作信号を取得し、処理部３２０に送る処理を行う。操作部３４０は、例えば、ボタン、キー、タッチパネル型ディスプレイ、マイクなどの入力機器により実現できる。
【００３８】
表示部３６０は、処理部３２０で生成された画像を出力する。表示部３６０は、例えば、ＬＣＤ（liquid crystal display）などのディスプレイにより実現できる。
【００３９】
記憶部３８０は、処理部３２０が各種計算処理や各種制御処理を行うためのプログラムやデータを記憶している。また、記憶部３８０は、処理部３２０のワーク領域としても用いられる。記憶部３８０は、例えば、ＲＡＭ（Random Access Memory）、ＲＯＭ（Read Only Memory）、およびハードディスクにより実現できる。
【００４０】
記憶部３８０には、各検体の測定項目が記憶される。なお、各検体の測定項目は、不図示のホストコンピューターから取得してもよい。
【００４１】
また、記憶部３８０には、各検体の検体情報が記憶される。検体情報は、検体の識別情報、検体に関するコメント、および検体のステータスを含む検体の進捗情報、などの情報を含む。
【００４２】
検体ＩＤは、検体を識別するための情報であり、検体識別情報の一例である。コメントは、オペレーターが入力したコメントである。
【００４３】
進捗情報は、例えば、検体の測定の進捗状況に関する情報であり、例えば、検体のステ
ータス、検体の位置、測定の履歴、および検体の測定の終了時刻などの情報を含む。検体のステータスは、検体の現在の測定状況を示す情報である。検体のステータスとしては、例えば、測定が正常に行われたことを示す「測定完了」、測定待ちであることを示す「測定待ち」、測定中であることを示す「測定中」などがある。また、進捗情報には、分注ミスの情報、装置のエラーで測定を中止したことを示す情報、再検査が必要な測定項目があることを示す情報などの情報を含む。
【００４４】
また、記憶部３８０には、各検体の測定結果である測定データが記憶される。例えば、多波長光度計１６における検体の測定データは、制御部３０に送られ、記憶部３８０に記憶される。
【００４５】
処理部３２０は、自動分析装置１００を構成する各部を制御する処理や、ユーザーインターフェース画面等を表示部３６０に表示させる処理、検体の測定データを取得する処理等の処理を行う。処理部３２０の機能は、各種プロセッサー（ＣＰＵ（Central Processing Unit）など）でプログラムを実行することにより実現できる。なお、処理部３２０の機能の少なくとも一部を、ＡＳＩＣ（ゲートアレイ等）などの専用回路により実現してもよい。処理部３２０は、分析制御部３２２と、入力受付部３２４と、表示制御部３２６と、を含む。
【００４６】
分析制御部３２２は、分析部１０を制御する。例えば、読取部２０が検体ＩＤを読み取ると、分析制御部３２２は、検体ＩＤに対応する検体の測定項目情報を記憶部３８０から読み出す。分析制御部３２２は、取得した測定項目情報に基づいて、分析部１０を制御する。これにより、分析部１０では、検体の測定項目に応じた測定（検査）が行われる。分析部１０で得られた検体の測定データは、分析制御部３２２に送られる。分析制御部３２２は、取得した測定データを記憶部３８０に記憶させる。
【００４７】
分析制御部３２２は、進捗情報を更新する。例えば、分析制御部３２２は、読取部２０が検体ＩＤを読み取ると、検体ＩＤに対応する検体の進捗情報を生成し、記憶部３８０に記憶する。分析制御部３２２は、例えば、１サイクルごとに進捗情報を更新する。また、分析制御部３２２は、１サイクルごとに、検体のステータス情報を更新する。
【００４８】
分析制御部３２２は、例えば、検体の測定の終了時刻を求める。分析制御部３２２は、検体の測定項目の情報に基づいて、測定項目ごとに測定時間を求める。そして、例えば、元検体サンプリングプローブ７が希釈検体を希釈容器２３に吐出した時刻を基準時として、最も測定に時間がかかる測定項目の測定時間から測定の終了時刻を決定する。そして、分析制御部３２２は、決定した測定の終了時刻を、記憶部３８０に記憶させる。
【００４９】
入力受付部３２４は、操作部３４０からの操作入力を受け付ける。例えば、入力受付部３２４は、後述するように、測定中の検体の検体情報のみを検索対象にするか否かを指定するための操作、検体情報の検索条件を指定するための操作、および検体情報の検索を実行するための操作などを受け付ける。さらに、入力受付部３２４は、一覧表示された検体情報を選択するための操作を受け付ける。
【００５０】
ここで、測定中とは、例えば、読取部２０が検体ＩＤを読み取ってから、すべての測定項目の測定データが制御部３０に送られるまでの間をいう。
【００５１】
表示制御部３２６は、表示部３６０に、画像を表示させる。例えば、表示制御部３２６は、後述するように、測定中の検体の検体情報のみを検索対象にする旨の指定がなされている状態で、検体情報の検索を実行するための操作が行われた場合に、進捗情報に基づいてすべての検体の検体情報のうち測定中の検体の検体情報のみを検索対象に設定し、設定
された検索対象のなかから指定された検索条件に一致する検体の検体情報を抽出し、抽出した検体情報を表示部３６０に一覧表示させる。また、例えば、表示制御部３２６は、記憶部３８０に記録された測定データを取得し、取得した測定データを表示部３６０に表示させる。
【００５２】
１．２．  ユーザーインターフェース画面
図４および図５は、自動分析装置１００の検体検索画面１０１の一例を示す図である。なお、図４は、チェックボックス１０３にチェックマークが入力されていない状態を図示しており、図５は、チェックボックス１０３にチェックマークが入力されている状態を図示している。
【００５３】
検体検索画面１０１は、検体の測定の進捗状況を確認するために用いられる。検体検索画面１０１には、図４および図５に示すように、検索キーワードを入力するための入力欄１０２、検索実行ボタン１０４、検索キーワードに一致した検体の検体情報が表示される検索結果表示領域１０６、および検体の詳細情報が表示される詳細情報表示領域１０８が表示されている。
【００５４】
さらに、検体検索画面１０１には、「測定中の患者検体のみ」、すなわち、測定中の検体の検体情報のみを検索対象にするか否かを指定するためのチェックボックス１０３が表示されている。
【００５５】
チェックボックス１０３にチェックマークが入力されていない場合、記憶部３８０に記憶されているすべての検体の検体情報が検索対象となる。一方、チェックボックス１０３にチェックマークが入力されている場合、測定中の検体の検体情報のみを検索対象にする旨の指定がなされる。
【００５６】
なお、図示の例では、測定中の検体の検体情報のみを検索対象にするか否かを指定するためのボタンがチェックボックス１０３であるが、測定中の検体の検体情報のみを検索対象にするか否かを指定することができれば、チェックボックスに限定されず、その他のボタンであってもよい。
【００５７】
さらに、検体検索画面１０１には、「結果レビュー」を表示するための結果レビューボタン１０５が表示されている。
【００５８】
図４に示すように、チェックボックス１０３にチェックマークが入力されない状態で検索実行ボタン１０４が押されると、入力欄１０２に入力された文字をキーワードに検体情報の検索が実行される。これにより、検索結果表示領域１０６には、キーワードに一致する検体の検体情報のリストが表示される。図４に示す例では、入力欄１０２には、「０１０」が入力され、検索結果表示領域１０６には、「０１０」の文字の並びを検体ＩＤやコメントに含む検体ＩＤ、および検体のステータスが表示されている。
【００５９】
検索結果表示領域１０６に表示されたリストから、１つの検体情報が選択されると、選択された検体情報に対応する検体についての詳細情報が詳細情報表示領域１０８に表示される。詳細情報は、検体の測定の進捗情報を含む。詳細情報表示領域１０８に表示される進捗情報は、例えば、測定が完了したか否か、測定が完了する時刻または測定が完了した時刻、自動分析装置１００内における検体の位置情報、などを含む。
【００６０】
さらに、結果レビューボタン１０５が押されると、選択された検体情報に対応する検体の測定結果が、図６に示す結果レビュー画面１１０に表示される。
【００６１】
結果レビュー画面１１０には、検体ＩＤおよび検体材料が表示される領域１１２、および検体の測定結果が表示される測定結果表示領域１１４が表示される。結果レビューボタン１０５が押されると、選択された検体情報に対応する検体の測定データが測定結果表示領域１１４に表示される。なお、検体が測定中の場合には、測定済みの測定データのみが測定結果表示領域１１４に表示される。
【００６２】
図５に示すように、チェックボックス１０３にチェックマークが入力された状態で検索実行ボタン１０４が押されると、入力欄１０２に入力された文字をキーワードに検体情報の検索が実行される。このように、測定中の検体のみを検索対象にする旨の指定がなされている状態で、検体情報の検索を実行するための操作が行われた場合、すべての検体の検体情報のうち測定中の検体の検体情報のみが検索対象に設定され、設定された検索対象のなかからキーワードに一致する検体の検体情報が抽出される。これにより、検索結果表示領域１０６には、測定中の検体の検体情報であって、キーワードに一致する検体の検体情報のリストが表示される。
【００６３】
なお、入力欄１０２に文字が入力されずに、チェックボックス１０３にチェックマークが入力された状態で検索実行ボタン１０４が押されると、すべての測定中の検体の検体情報が抽出され、検索結果表示領域１０６には、すべての測定中の検体の検体情報が表示される。
【００６４】
図５に示す例では、検索結果表示領域１０６には、検体情報として検体ＩＤが表示されている。また、検索結果表示領域１０６には、検体ＩＤとともに、検体の測定の終了時刻が表示されている。検体情報および測定の終了時刻を含むリストでは、測定の終了時刻が早い順に検体情報が並べられている。
【００６５】
検索結果表示領域１０６に表示されたリストから、１つの検体情報が選択されると、選択された検体情報に対応する検体についての詳細情報が詳細情報表示領域１０８に表示される。詳細情報は、検体の測定の進捗情報を含む。詳細情報表示領域１０８に表示される進捗情報は、例えば、測定が完了したか否か、測定が完了する時刻または測定が完了した時刻、自動分析装置１００内における検体の位置情報、などを含む。
【００６６】
さらに、結果レビューボタン１０５が押されると、選択された検体情報に対応する検体の測定結果が、図６に示す結果レビュー画面１１０に表示される。
【００６７】
図７は、自動分析装置１００のホーム画面１２０の一例を示す図である。ホーム画面１２０は、自動分析装置１００が起動すると表示される初期画面である。ホーム画面１２０には、操作に応じて各種画面が表示される。図示の例では、ホーム画面１２０には、装置状態を表示する領域１２２、洗浄液および恒温槽循環液の状態を示す領域１２３、測定項目情報が表示される領域１２４、進捗情報が表示される領域１２５、システムオプションが表示される領域１２６、メンテナンス情報が表示される領域１２７、および検体検索を行うための領域１２８が表示されている。
【００６８】
検体検索を行うための領域１２８には、検索キーワードを入力するための入力欄１０２、および検索実行ボタン１０４が表示されている。検索実行ボタン１０４が押されると、入力欄１０２に入力された文字をキーワードに検体情報の検索が実行される。
【００６９】
さらに、ホーム画面１２０には、測定中の検体の検体情報のみの検索を実行するためのボタン１２９が表示されている。ボタン１２９が押されると、図５に示す検体検索画面１０１が表示される。すなわち、チェックボックス１０３にチェックマークが入力されている状態の検体検索画面１０１が表示される。
【００７０】
なお、測定中の検体の検体情報のみの検索を実行するためのボタン１２９は、ホーム画面１２０だけでなく、進捗状況を確認するためのモニター画面など様々な画面に表示されていてもよい。
【００７１】
１．３．  処理
１．３．１．  検体情報の表示
図８は、自動分析装置１００の処理部３２０の処理の一例を示すフローチャートである。以下では、検体の検体情報を検索して、キーワードに一致する検体情報を表示部３６０に一覧表示させる処理について説明する。
【００７２】
入力受付部３２４は、検体情報の検索を実行するための操作（以下「検索実行操作」ともいう）が行われたか否かを判定する（Ｓ１００）。検索実行操作は、例えば、オペレーターが操作部３４０を用いて、図４に示す検索実行ボタン１０４を押す操作である。入力受付部３２４は、操作部３４０から出力された、検索実行操作に応じた操作信号を受け付けた場合に、検索実行操作が行われたと判定する。
【００７３】
入力受付部３２４は、検索実行操作が行われたと判定した場合（Ｓ１００のＹｅｓ）、測定中の検体の検体情報のみを検索対象にするか否かを指定するための操作（以下「検索対象指定操作」ともいう）が行われたか否かを判定する（Ｓ１０２）。検索対象指定操作は、例えば、オペレーターが操作部３４０を用いて、図５に示すようにチェックボックス１０３にチェックマークを入力する操作である。入力受付部３２４は、操作部３４０から出力された、検索対象指定操作に応じた操作信号を受け付けた場合に、検索対象指定操作が行われたと判定する。
【００７４】
検索対象指定操作が行われたと判定された場合（Ｓ１０２のＹｅｓ）、表示制御部３２６は、記憶部３８０に記憶された進捗情報に基づいて、すべての検体の検体情報のうち、測定中の検体の検体情報のみを検索対象に設定する（Ｓ１０４）。表示制御部３２６は、設定された検索対象のなかから、キーワードに一致する検体の検体情報を抽出する（Ｓ１０６）。
【００７５】
例えば、表示制御部３２６は、記憶部３８０に記憶されたすべての検体の進捗情報に基づいて、測定中の検体を特定し、測定中の検体の検体情報のみを検索対象として、入力欄１０２に入力されたキーワードに一致する検体の検体情報を抽出する。ここで、キーワードに一致する場合とは、キーワードが検体情報に完全に一致する場合だけでなく、検体情報の一部にキーワードとして入力された文字の並びを含む部分一致の場合も含まれる。また、入力欄１０２にキーワードが入力されなかった場合には、すべての測定中の検体の検体情報が抽出される。
【００７６】
表示制御部３２６は、図５に示す検索結果表示領域１０６に、抽出した検体情報を一覧表示させる（Ｓ１０８）。このとき、表示制御部３２６は、検体の検体情報として、例えば、検体ＩＤおよび検体の測定の終了時刻の情報を表示部３６０に表示させる。
【００７７】
一方、検索対象指定操作が行われていないと判定された場合（Ｓ１０２のＮｏ）、表示制御部３２６は、記憶部３８０に記憶されたすべての検体の検体情報から、キーワードに一致する検体の検体情報を抽出する（Ｓ１０６）。表示制御部３２６は、図４に示す検索結果表示領域１０６に、抽出した検体情報を一覧表示させる（Ｓ１０８）。
【００７８】
以上の処理により、検体の検体情報を検索して、キーワードに一致する検体情報を一覧表示させることができる。
【００７９】
１．３．２．  測定結果の表示
図９は、自動分析装置１００の処理部３２０の処理の一例を示すフローチャートである。以下では、検体の測定結果を表示部３６０に表示させる処理について説明する。
【００８０】
入力受付部３２４は、図４または図５に示すように、検索結果表示領域１０６に、一覧表示された検体情報のなかから１つの検体情報を選択するための操作（以下、「選択操作」ともいう）が行われたか否かを判定する（Ｓ１１０）。選択操作は、例えば、オペレーターが操作部３４０を用いて、図４または図５に示す検索結果表示領域１０６に表示されたリストから所望の検体情報（検体ＩＤ）が表示された領域を選択する操作である。入力受付部３２４は、操作部３４０から出力された、選択操作に応じた操作信号を受け付けた場合に、選択操作が行われたと判定する。
【００８１】
選択操作が行われたと判定された場合（Ｓ１１０のＹｅｓ）、表示制御部３２６は、選択された検体情報に対応する検体の詳細情報を詳細情報表示領域１０８に表示させる（Ｓ１１２）。
【００８２】
次に、入力受付部３２４は、測定結果を表示するための操作（以下「測定結果表示操作」ともいう）が行われたか否かを判定する（Ｓ１１４）。測定結果表示操作は、例えば、オペレーターが操作部３４０を用いて、図４または図５に示す結果レビューボタン１０５を押す操作である。入力受付部３２４は、操作部３４０から出力された、測定結果表示操作に応じた操作信号を受け付けた場合に、測定結果表示操作が行われたと判定する。
【００８３】
測定結果表示操作が行われたと判定された場合（Ｓ１１４のＹｅｓ）、表示制御部３２６は、選択された検体情報に対応する検体の測定データ（測定結果）を図６に示す結果レビュー画面１１０の測定結果表示領域１１４に表示させる（Ｓ１１６）。
【００８４】
以上の処理により、検体の測定結果を表示部３６０に表示させることができる。
【００８５】
１．４．  効果
自動分析装置１００では、入力受付部３２４が、測定中の検体の検体情報のみを検索対象にするか否かを指定するための操作と、検体情報の検索条件を指定するための操作と、検体情報の検索を実行するための操作と、を受け付ける。また、表示制御部３２６が、測定中の検体の検体情報のみを検索対象にする旨の指定がなされている状態で、検体情報の検索を実行するための操作が行われた場合に、進捗情報に基づいてすべての検体の検体情報のうち測定中の検体の検体情報のみを検索対象に設定する。そして、設定された検索対象のなかから指定された検索条件に一致する検体の検体情報を抽出し、抽出した検体情報を表示部３６０に一覧表示させる。
【００８６】
このように、自動分析装置１００では、測定中の検体の検体情報のみを検索対象に設定して、検索条件に一致する検体情報を抽出することができるため、容易に測定中の検体の検体情報を確認できる。例えば、上述したように、チェックボックス１０３にチェックマークを入力することで、測定中の検体の検体情報のみを一覧表示させることができる。このように、自動分析装置１００では、測定中の検体の検体情報を一括して検索することができ、使い勝手がよい。
【００８７】
自動分析装置１００では、表示制御部３２６は、検体ＩＤとともに、検体の測定の終了時刻に関する情報を表示部３６０に表示させる、そのため、自動分析装置１００では、例えば、医師から検査の進捗状況の問い合わせがあった場合に、回答に要する時間を短縮できる。
【００８８】
自動分析装置１００では、入力受付部３２４は、一覧表示された検体情報から所望の検体情報を選択するための操作を受け付け、表示制御部３２６は、選択された検体情報に対応する検体の進捗情報を表示部３６０に表示させる。そのため、自動分析装置１００では、容易に、進捗情報を確認できる。
【００８９】
自動分析装置１００では、表示制御部３２６は、測定中の検体の検体情報のみを検索対象にするか否かを指定するためのボタン（チェックボックス１０３）が表示された検体検索画面１０１を表示部３６０に表示させ、測定中の検体の検体情報のみを検索対象にするか否かを指定するための操作は、ボタン（チェックボックス１０３）を選択する操作である。そのため、自動分析装置１００では、容易に、測定中の検体の測定の進捗情報を確認することができる。
【００９０】
２．  第２実施形態
次に、第２実施形態に係る自動分析装置について、図面を参照しながら説明する。図１０は、第２実施形態に係る自動分析装置２００の構成を示す図である。以下、第２実施形態に係る自動分析装置２００において、第１実施形態に係る自動分析装置１００の構成部材と同様の機能を有する部材については同一の符号を付し、その詳細な説明を省略する。
【００９１】
自動分析装置２００は、図１０に示すように、搬送部４０を含む。
【００９２】
図１１は、搬送部４０を模式的に示す図である。
【００９３】
搬送部４０は、検体容器４１を搬送する搬送ライン４２と、検体が収容された検体容器４１がセットされる検体供給部４４と、検体が採取された検体容器４１が回収される回収部４６と、を有している。自動分析装置２００では、搬送部４０に、読取部２０が設けられている。
【００９４】
搬送ライン４２は、検体容器４１を、検体供給部４４から分注位置Ｐまで搬送する。検体容器４１を検体供給部４４から分注位置Ｐまで搬送する経路に、読取部２０が設けられている。
【００９５】
搬送ライン４２は、分注位置Ｐで検体が採取された検体容器４１を、分注位置Ｐから回収部４６まで搬送する。図１１に示す例では、複数の検体容器４１が１つのラック４３に収容されており、搬送ライン４２は、ラック４３を搬送している。
【００９６】
分注位置Ｐでは、検体容器４１内の検体がプローブ４８によって、例えば、希釈容器２３に分注される。このようにして、搬送部４０から分析部１０に検体が供給される。なお、検体容器４１内の検体を分注するためのプローブは、特に限定されず、プローブ４８が元検体サンプリングプローブ７であってもよい。
【００９７】
自動分析装置２００では、分析制御部３２２は、搬送部４０を制御する。例えば、分析制御部３２２は、読取部２０が検体ＩＤを読み取ると、検体ＩＤに対応する検体の測定項目を記憶部３８０から読み出す。分析制御部３２２は、取得した測定項目に基づいて、搬送部４０を制御する。これにより、搬送部４０では、検体の測定項目に応じた測定が行われるように検体容器４１が搬送される。
【００９８】
自動分析装置２００では、検体の測定の進捗情報には、搬送部４０における検体の位置の情報が含まれる。そのため、測定中の検体の検体情報には、搬送部４０で搬送されている検体の検体情報が含まれる。したがって、自動分析装置２００では、測定中の検体の検
体情報を検索する際に、搬送部４０および分析部１０について、一括して検体情報の検索が可能である。
【００９９】
自動分析装置２００は、上述した自動分析装置１００と同様の作用効果を奏することができる。さらに、自動分析装置２００では、搬送部４０および分析部１０における測定中の検体の検体情報を、容易に確認することができる。
【０１００】
３．  第３実施形態
次に、第３実施形態に係る自動分析装置について、図面を参照しながら説明する。図１２は、第３実施形態に係る自動分析装置３００の構成を示す図である。以下、第３実施形態に係る自動分析装置３００において、第１実施形態に係る自動分析装置１００の構成部材および第２実施形態に係る自動分析装置２００の構成部材と同様の機能を有する部材については同一の符号を付し、その詳細な説明を省略する。
【０１０１】
自動分析装置３００は、図１２に示すように、複数の分析部１０を含む。複数の分析部１０では、それぞれ異なる項目の測定が行われてもよいし、同じ項目の測定が行われてもよい。複数の分析部１０には、搬送部４０によって検体が供給される。
【０１０２】
自動分析装置３００では、検体の測定の進捗情報には、搬送部４０における検体の位置の情報が含まれる。そのため、測定中の検体の検体情報には、搬送部４０で搬送されている検体の検体情報が含まれる。したがって、自動分析装置３００では、測定中の検体の検体情報を検索する際に、搬送部４０および複数の分析部１０について、一括して検体情報の検索が可能である。
【０１０３】
自動分析装置３００は、上述した自動分析装置１００と同様の作用効果を奏することができる。さらに、自動分析装置３００では、搬送部４０および複数の分析部１０における測定中の検体の検体情報を、容易に確認することができる。
【０１０４】
４．  第４実施形態
４．１．  自動分析装置の構成
第４実施形態に係る自動分析装置の構成は、図１〜図３に示す自動分析装置１００の構成と同じであり、図示およびその説明を省略する。
【０１０５】
４．２．  ユーザーインターフェース画面
図１３は、第４実施形態に係る自動分析装置の検体検索画面１０１の一例を示す図である。なお、図１３は、チェックボックス２０２にチェックマークが入力されている状態を図示している。
【０１０６】
検体検索画面１０１には、図１３に示すように、測定が正常に完了していない検体の検体情報のみを検索対象にするか否かを指定するためのチェックボックス２０２が表示されている。
【０１０７】
チェックボックス２０２にチェックマークが入力されていない場合、すべての検体の検体情報が検索対象に指定される。一方、チェックボックス２０２にチェックマークが入力されている場合、測定が正常に完了していない検体の検体情報のみを検索対象にする指定がなされる。
【０１０８】
なお、測定が正常に完了していない検体とは、測定項目がない検体、検体や装置のエラーで測定を中止してしまった検体、再検査が必要な検体などの検体である。測定項目がない検体とは、分析制御部３２２が測定項目を取得できなかった検体である。測定が正常に
完了していないか否かは、検体の進捗情報および測定データによって判断できる。
【０１０９】
また、検体検索画面１０１には、送信ボタン２０３、報告書印刷ボタン２０４、リアルタイムモニターボタン２０５が表示されている。
【０１１０】
チェックボックス２０２にチェックマークが入力されない状態で検索実行ボタン１０４が押されると、入力欄１０２に入力された文字をキーワードに検体情報の検索が実行される。これにより、検索結果表示領域１０６には、キーワードに一致する検体の検体情報のリストが表示される。当該リストには、検体ＩＤと、検体のステータスと、が含まれる。
【０１１１】
図１３に示すように、チェックボックス２０２にチェックマークが入力された状態で検索実行ボタン１０４が押されると、入力欄１０２に入力された文字をキーワードに検体情報の検索が実行される。このように、測定が正常に完了していない検体のみを検索対象にする旨の指定がなされている状態で、検体情報の検索を実行するための操作が行われた場合、すべての検体の検体情報のうち測定が正常に完了していない検体の検体情報のみが検索対象に設定され、設定された検索対象のなかからキーワードに一致する検体の検体情報が抽出される。これにより、検索結果表示領域１０６には、測定が正常に完了していない検体の検体情報であって、キーワードに一致する検体の検体情報のリストが表示される。
【０１１２】
検索結果表示領域１０６に表示されたリストから、１つの検体情報が選択されると、選択された検体情報に対応する検体についての詳細情報が詳細情報表示領域１０８に表示される。詳細情報は、検体の進捗情報を含む。
【０１１３】
また、送信ボタン２０３が押されると、選択された検体情報に対応する検体の測定結果が、外部システムであるＬＩＳ（Laboratory Information System）に送信される。
【０１１４】
また、報告書印刷ボタン２０４が押されると、選択された検体情報に対応する検体の測定データが、報告書様式に印刷される。
【０１１５】
また、リアルタイムモニターボタン２０５が押されると、選択された検体情報に対応する検体の測定ログが不図示のリアルタイムモニター画面に表示される。
【０１１６】
４．３．  処理
図１４は、第４実施形態に係る自動分析装置の処理部３２０の処理の一例を示すフローチャートである。以下では、検体の検体情報を検索して、キーワードに一致する検体情報を表示部３６０に一覧表示させる処理について説明する。なお、以下では、上述した図８に示す処理と異なる点について説明し、同様の点については説明を省略する。
【０１１７】
入力受付部３２４は、検索実行操作が行われたか否かを判定する（Ｓ２００）。入力受付部３２４は、検索実行操作が行われたと判定した場合（Ｓ２００のＹｅｓ）、測定が正常に完了していない検体の検体情報のみを検索対象にするか否かを指定するための操作（以下「異常検体指定操作」ともいう）が行われたか否かを判定する（Ｓ２０２）。
【０１１８】
異常検体指定操作は、例えば、オペレーターが操作部３４０を用いて、図１３に示すようにチェックボックス２０２にチェックマークを入力する操作である。入力受付部３２４は、操作部３４０から出力された、異常検体指定操作に応じた操作信号を受け付けた場合に、異常検体指定操作が行われたと判定する。
【０１１９】
異常検体指定操作が行われたと判定された場合（Ｓ２０２のＹｅｓ）、表示制御部３２６は、記憶部３８０に記憶された進捗情報および測定データに基づいて、すべての検体の
検体情報のうち、測定が正常に完了していない検体の検体情報のみを検索対象に設定する（Ｓ２０４）。表示制御部３２６は、設定された検索対象のなかから、キーワードに一致する検体の検体情報を抽出する（Ｓ２０６）。
【０１２０】
表示制御部３２６は、記憶部３８０に記憶されたすべての検体の進捗情報および測定データに基づいて、測定が正常に完了していない検体を特定し、測定が正常に完了していない検体の検体情報のみを検索対象として、入力欄１０２に入力されたキーワードに一致する検体の検体情報を抽出する。
【０１２１】
表示制御部３２６は、図１３に示す検索結果表示領域１０６に、抽出した検体情報を一覧表示させる（Ｓ２０８）。
【０１２２】
一方、異常検体指定操作が行われていないと判定された場合（Ｓ２０２のＮｏ）、表示制御部３２６は、すべての検体の検体情報から、キーワードに一致する検体の検体情報を抽出する（Ｓ２０６）。表示制御部３２６は、図１３に示す検索結果表示領域１０６に、抽出した検体情報を一覧表示させる（２０８）。
【０１２３】
以上の処理により、検体の検体情報を検索して、キーワードに一致する検体情報を一覧表示させることができる。
【０１２４】
４．４．  効果
第４実施形態に係る自動分析装置では、入力受付部３２４が、測定が正常に完了していない検体の検体情報のみを検索対象にするか否かを指定するための操作と、検体情報の検索条件を指定するための操作と、検体情報の検索を実行するための操作と、を受け付ける。また、表示制御部３２６が、測定が正常に完了していない検体の検体情報のみを検索対象にする旨の指定がなされている状態で、検体情報の検索を実行するための操作が行われた場合に、検体の進捗情報および分析部１０における検体の測定結果に基づいてすべての検体の検体情報のうち測定が正常に完了していない検体の検体情報のみを検索対象に設定する。そして、設定された検索対象のなかから指定された検索条件に一致する検体の検体情報を抽出し、抽出した検体情報を表示部３６０に一覧表示させる。
【０１２５】
このように、第４実施形態に係る自動分析装置では、測定が正常に完了していない検体の検体情報のみを検索対象に設定して、検索条件に一致する検体情報を抽出することができるため、容易に測定が正常に完了していない検体の検体情報を確認できる。例えば、上述したように、チェックボックス２０２にチェックマークを入力することで、測定が正常に完了していない検体の検体情報のみを一覧表示させることができる。このように、測定が正常に完了していない検体の検体情報を一括して検索することができ、使い勝手がよい。
【０１２６】
本発明は、上述した実施形態に限定されるものではなく、さらに種々の変形が可能である。例えば、本発明は、実施形態で説明した構成と実質的に同一の構成を含む。実質的に同一の構成とは、例えば、機能、方法、及び結果が同一の構成、あるいは目的及び効果が同一の構成である。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１２７】
２…サンプルターンテーブル、３…希釈ターンテーブル、４…第１ターンテーブル、５…第２ターンテーブル、６…反応ターンテーブル、７…元検体サンプリングプローブ、８…
希釈検体サンプリングプローブ、９…希釈撹拌機構、１０…分析部、１１…希釈容器洗浄機構、１２…第１試薬分注プローブ、１３…第２試薬分注プローブ、１４…第１反応液撹拌機構、１５…第２反応液撹拌機構、１６…多波長光度計、１７…恒温槽、１８…反応容器洗浄機構、２０…読取部、２１…サンプル容器、２２…保冷サンプル容器、２３…希釈容器、２４…第１試薬容器、２５…第２試薬容器、２６…反応容器、２７…第１試薬バーコードリーダー、２８…第２試薬バーコードリーダー、３０…制御部、３１…元検体サンプリングプローブ洗浄機構、３２…希釈検体サンプリングプローブ洗浄機構、３３…第１試薬プローブ洗浄機構、３４…第２試薬分注プローブ洗浄機構、４０…搬送部、４１…検体容器、４２…搬送ライン、４３…ラック、４４…検体供給部、４６…回収部、４８…プローブ、１００…自動分析装置、１０１…検体検索画面、１０２…入力欄、１０３…チェックボックス、１０４…検索実行ボタン、１０５…結果レビューボタン、１０６…検索結果表示領域、１０８…詳細情報表示領域、１１０…結果レビュー画面、１１２…領域、１１４…測定結果表示領域、１２０…ホーム画面、１２２…領域、１２３…領域、１２４…領域、１２５…領域、１２６…領域、１２７…領域、１２８…領域、１２９…ボタン、２００…自動分析装置、２０２…チェックボックス、２０３…送信ボタン、２０４…報告書印刷ボタン、２０５…リアルタイムモニターボタン、３００…自動分析装置、３２０…処理部、３２２…分析制御部、３２４…入力受付部、３２６…表示制御部、３４０…操作部、３６０…表示部、３８０…記憶部
【図１】
2020180899.tif 000003
【図２】
2020180899.tif 000004
【図３】
2020180899.tif 000005
【図４】
2020180899.tif 000006
【図５】
2020180899.tif 000007
【図６】
2020180899.tif 000008
【図７】
2020180899.tif 000009
【図８】
2020180899.tif 000010
【図９】
2020180899.tif 000011
【図１０】
2020180899.tif 000012
【図１１】
2020180899.tif 000013
【図１２】
2020180899.tif 000014
【図１３】
2020180899.tif 000015
【図１４】
2020180899.tif 000016
【図１５】
2020180899.tif 000017